(57)【要約】【課題】  グロメット本体が引張られても締結部材とのシール部の防水性能が低下しない防水コネクタを提供する。【解決手段】  雌雄一対のハウジング３０、４０が互いに係合し、これらハウジング３０、４０の少なくとも一方がグロメット１０に覆われ、このグロメット１０側から挿入された締結部材５０によって雌雄一対のハウジング３０、４０が結合された防水コネクタ１に、締結部材５０の挿入方向に沿って所定の長さを有し、且つ出口側端部１４でグロメット本体１１に一体成形されたシール部１２を設ける。【選択図】      図３
2006073478.tif 000002
【特許請求の範囲】
【請求項１】
雌雄一対のハウジングが互いに係合し、これらハウジングの少なくとも一方がグロメットに覆われ、このグロメット側から挿入された締結部材によって該雌雄一対のハウジングが結合された防水コネクタであって、
前記締結部材の挿入方向に沿って所定の長さを有し、且つ出口側端部でグロメット本体に一体成形されたシール部が設けられたことを特徴とする防水コネクタ。
【請求項２】
請求項１記載の防水コネクタにおいて、
前記シール部と前記グロメット本体との間に伸張部が設けられたことを特徴とする防水コネクタ。
【請求項３】
請求項１、または請求項２に記載の防水コネクタにおいて、
前記ハウジングに設けられた係止部に前記シール部と前記グロメット本体との間に設けられた係合部が係止されることを特徴とする防水コネクタ。
【発明の詳細な説明】
【技術分野】
【０００１】
本発明は、防水性を確保するためにハウジングをグロメットで覆った防水コネクタに関する。
【背景技術】
【０００２】
この種の防水コネクタとしては、特許文献１に開示されたものがある。この防水コネクタは、雌雄一対のハウジングが取付パネルの表面側並びに裏面側からそれぞれ挿入されて互いに係合され、表面側のハウジングの上部に形成されたオーバハング部を折り返し部によって囲み且つリップ部が雌ハウジングの裏面と当接するように雌ハウジングがグロメットに覆われ、取付パネルの表面側に突出する防水突起が雄ハウジングの上部に形成され、雌雄ハウジング同士を結合した際にはオーバーハング部の下方に防水突起が付き当てられて折り返し部並びにリップ部によって雌雄ハウジング間がクランク状にシールされることにより、取付パネルを伝わった水滴のグロメット内への浸入防止効果を向上させるものである。
【特許文献１】特開平１０−９２５１０号公報
【発明の開示】
【発明が解決しようとする課題】
【０００３】
しかしながら、前記従来の防水コネクタでは、グロメット側から挿入されたボルト（締結部材）によって各ハウジング同士が結合され、グロメットのボルトへの反発力によって防水性が確保されているため、取付パネルへ取付ける際、およびハーネスを配索する際にグロメットの蛇腹状の管体部（グロメット本体）が引張られた場合、グロメットの筒部が伸びて筒部とボルトとの間に隙間が発生し、この隙間からグロメット内に水滴が浸入する恐れがあった。
【０００４】
そこで、本発明は、前記した課題を解決すべくなされたものであり、グロメット本体が引張られても締結部材とのシール部の防水性能が低下しない防水コネクタを提供することを目的とする。
【課題を解決するための手段】
【０００５】
請求項１の発明は、雌雄一対のハウジングが互いに係合し、これらハウジングの少なくとも一方がグロメットに覆われ、このグロメット側から挿入された締結部材によって該雌雄一対のハウジングが結合された防水コネクタであって、前記締結部材の挿入方向に沿って所定の長さを有し、且つ出口側端部でグロメット本体に一体成形されたシール部が設けられたことを特徴とする。
【０００６】
この防水コネクタでは、締結部材の挿入方向に沿って所定の長さを有し、且つ出口側端部でグロメット本体に一体成形されたシール部が設けられたことにより、ハーネスを配索する際、および防水コネクタを取付ける際などに、グロメット本体が引張られた場合でも入口側端部は、シールされたままなので、防水性能が低下することがない。
【０００７】
請求項２の発明は、請求項１記載の防水コネクタにおいて、シール部とグロメット本体との間に伸張部が設けられたことを特徴とする。
【０００８】
この防水コネクタでは、シール部とグロメット本体との間に伸張部が設けられたことにより、グロメット本体が引張られた場合でも伸張部で引張りが吸収されるので、シール部への影響が小さく、入口側端部は、シールされたままなので、よりいっそう防水性能が低下することがない。
【０００９】
請求項３の発明は、請求項１、または請求項２に記載の防水コネクタにおいて、前記ハウジングに設けられた係止部に前記シール部と前記グロメット本体との間に設けられた係合部が係止されることを特徴とする。
【００１０】
この防水コネクタでは、係止部と係合部が係止されることにより、ハーネスを配索する際、および防水コネクタを取付ける際などに、グロメット本体が引張られた場合でもシール部は、シールされたままなので、防水性能が低下することがない。
【発明の効果】
【００１１】
以上説明したように、請求項１の発明によれば、締結部材５０の挿入方向に沿って所定の長さを有し、且つ出口側端部１４でグロメット本体１１に一体成形されたシール部１２が設けられたことにより、ハーネスを配索する際、および防水コネクタ１を取付ける際などに、グロメット本体１１が引張られた場合でも入口側端部１３は、シールされたままなので、防水性能が低下することがない。
【００１２】
請求項２の発明によれば、請求項１の効果に加え、シール部１２とグロメット本体１１との間に伸張部１９が設けられたことにより、グロメット本体１１が引張られた場合でも伸張部１９で引張りが吸収されるので、シール部１２への影響が小さく、入口側端部１３は、シールされたままなので、防水性能が低下することがない。
【００１３】
請求項３の発明によれば、請求項１と請求項２の効果に加え、係止部４６と係合部１９が設けられたことにより、グロメット本体１１が引張られた場合でも係止部４６と係合部１９が係止されることにより、シール部は、シールされたままなので、防水性能が低下することがない。
【発明を実施するための最良の形態】
【００１４】
以下、図面を参照して本発明の防水コネクタ１の一実施形態を詳細に説明する。図１は本実施形態の防水コネクタをグロメット側から見た斜視図、図２は防水コネクタの断面図、図３はグロメットの要部断面図である。
【００１５】
図１〜図３に示されるように、本実施形態の防水コネクタ１は、雄ハウジング３０と雌ハウジング４０から構成され、これら雄ハウジング３０、雌ハウジング４０のそれぞれをパネル６１両面に配置し、パネル６１に設けられた取付孔６２を通じて雄ハウジング３０と雌ハウジング４０の端子３４、４５を連結するものである。
【００１６】
そして、この取付孔６２には、略円筒形状を備えた円環部６３が設けられており、円環部６３の内周に取付孔内周面としての円環部内周面６４が設けられている。
【００１７】
また、雄ハウジング３０と雌ハウジング４０は、それぞれの中央部に端子収納部３３、４４が形成され、雄ハウジング３０の端子収納部３３に雌ハウジング４０の端子収納部４４が挿入されることで端子３４、４５が連結される。さらに、雌ハウジング４０の端子収納部４４の中心部分には締結部材収納室４３と雄ハウジング３０の端子収納部３３の中心部分には締結受部としての雌ネジ部３１がそれぞれ設けられ、締結部材としてのボルト５０が締結部材収納室４３を貫通し、雌ネジ部３１と螺合することで雄ハウジング３０と雌ハウジング４０が締結される。
【００１８】
グロメット１０は、主にグロメット本体１１、蛇腹部２１、パネル当接部１６、ボルトシール部１２、係合伸張部１９から構成され、合成ゴムなど伸縮性と柔軟性を備えた素材で一体成型されている。
【００１９】
グロメット本体１１は、雌ハウジング４０の端子収納部４４の背面側４１を覆うように雌ハウジング４０に嵌め込まれている。
【００２０】
蛇腹部２１は、弾力性を備えた蛇腹状の筒形状を有しつつ、グロメット本体１１と一体に形成され、内部には雌ハウジング４０の端子収納部４４に収納された端子４５から延設されたハーネス（不図示）が束ねられつつ、挿通されている。
【００２１】
パネル当接部１６は、略円環形状を有し、基端側から先端側に向かって円環の半径が小さくなるように形成された２本のリブ１７から構成されており、端子収納部４４の外周を巡るようにグロメット本体１１と一体に形成されている。また、各リブ１７のパネル６１側の面１７ａには突起１８が形成されている。また、パネル当接部１６は、防水コネクタ１をパネル６１に取付けた際に、取付孔６２の外側に位置するように形成され、雄ハウジング３０と雌ハウジング４０がパネル６１を狭持する際にパネル６１に当接して弾性変形し、外部から水の浸入を防止している。
【００２２】
ボルトシール部１２は、挿入されるボルト５０のシャフト部分５１よりもわずかに小さい内径と、ボルト５０の挿入する方向に沿って所定の長さを備えた略筒形状を有している。また、ボルト５０が挿入される入口側端部１３は出口側端部１４よりも厚く、且つ出口側端部１４の外周側で係合伸張部１９を介してグロメット本体１１に一体成形されている。さらに、ボルトシール部１２の内周面１５には円環状の複数のリブ１２ａが設けられ、ボルト５０のシャフト部分５１に密着するように成形されている。
【００２３】
係合伸張部１９は、伸張部としてボルトシール部１２とグロメット本体１１との間に断面鉤型を有して一体に形成され、外観上はボルトシール部１２を巡る環状の溝部２０として配置されている。また、係合部としての係合伸張部１９は、雌ハウジング４０に設けられた係止部としての環状段部４６に蛇腹部２１が引張られた状態で係止されるように形成されている。
【００２４】
グロメット１０がこのような形状を備えていることにより、蛇腹部２１で吸収されなかった張力によるグロメット１０の変形が、環状段部４６と係合伸張部１９が係止することで防止される。また、さらに蛇腹部２１が引張られた場合には、係合伸張部１９が変形しつつ吸収し、それでも吸収されなかった張力をボルトシール部１２の出口側端部１４が変形することで吸収し、入口側端部１３とボルト５０のシャフト部分５１との間のシールが保持されている。
【００２５】
以上、本実施形態の防水コネクタ１では、ボルト５０の挿入方向に沿って所定の長さを有し、且つ出口側端部１４でグロメット本体１１に一体成形されたボルトシール部１２が設けられたことにより、ハーネスを配索する際、および防水コネクタ１をパネル６１などに取付ける際などに、グロメット本体１１が引張られた場合でも入口側端部１３は、シールされたままなので、防水性能が低下することがない。
【００２６】
また、環状段部４６に係合伸張部１９が係止されることにより、グロメット本体１１が引張られた場合でもシール部１２は、シールされたままなので、防水性能が低下することがない。
【００２７】
さらに、ボルトシール部１２とグロメット本体１１との間に係合伸張部１９が設けられたことにより、グロメット本体１１が引張られた場合でも係合伸張部１９で引張りが吸収されるので、ボルトシール部１２への影響が小さく、入口側端部１３は、シールされたままなので、防水性能が低下することがない。
【００２８】
なお、上記実施形態では、締結部材としてボルト５０が使用されているが、ボルト５０のシャフト部分５１と同様の形状を備え、且つ締結作業を簡素化しつつ十分な締結力を得ることができるファスナ、カム構造などの手段を代わりに使用した場合にも同様の効果を得ることができる。
【００２９】
また、本実施形態では係止部としての環状段部４６に係合部としての係合伸張部１９が係止されることでグロメット１０がずれることを防止しているが、環状段部４６の内周面にリブなどを設けて、このリブに係合伸張部１９を嵌合させることで、さらにグロメット１０がずれることを防止することが可能である。
【図面の簡単な説明】
【００３０】
【図１】本実施形態の防水コネクタをグロメット側から見た斜視図である。
【図２】本実施形態の防水コネクタの断面図である。
【図３】グロメットの要部断面図である。
【符号の説明】
【００３１】
１…防水コネクタ
１０…グロメット
１１…グロメット本体
１２…ボルトシール部（シール部）
１４…出口側端部
１９…係合伸張部（伸張部、係合部）
３０…雄ハウジング（ハウジング）
４０…雌ハウジング（ハウジング）
４６…環状段部（係止部）
５０…ボルト（締結部材）
【図１】
2006073478.tif 000003
【図２】
2006073478.tif 000004
【図３】
2006073478.tif 000005